(57)【要約】【課題】  コイルスプリングで付勢される摺動部が滑らかに動作する摺動機構、及び該摺動機構を備え、操作部の操作感が良好な撮像装置の提供。【解決手段】  基材５に形成され、略矩形の開口部５５を有する案内孔５１に案内されて開口部５５の長手方向に沿って摺動する摺動部４,７と、開口部５５の長手方向と略平行に配されたコイルスプリング６の端部６０に当接された当接部５０とを備え、摺動部４,７の摺動でコイルスプリング６を当接部５０と摺動部４,７との間で圧縮する摺動機構において、当接部５０をコイルスプリング６の端部６０の径方向での両側６１,６２に当接してあるようにした。またコイルスプリング６の両端部６０,６０夫々に当接部５０を当接し、摺動部４,７は、当接部５０の近傍に設けられた圧縮面７２を有するようにした。また前記摺動機構の摺動部４,７を、撮像に関する操作部とした。【選択図】        図３
2005091938.tif 000002
【特許請求の範囲】
【請求項１】
基材に形成され、略矩形をなす開口部を有する案内孔に案内されて前記開口部の長手方向に沿って摺動する摺動部と、前記開口部の長手方向と略平行に配されたコイルスプリングの端部に当接された当接部とを備え、前記摺動部の摺動により前記コイルスプリングを前記当接部と前記摺動部との間で圧縮するようになしてある摺動機構において、
前記当接部を前記コイルスプリングの端部の径方向での両側に当接してあることを特徴とする摺動機構。
【請求項２】
前記コイルスプリングの両端部夫々に前記当接部を当接してあり、
前記摺動部は、前記コイルスプリングの一端部側にある前記当接部の近傍に設けられて前記コイルスプリングを前記コイルスプリングの他端部側にある前記当接部との間で圧縮する圧縮面と、前記コイルスプリングの前記他端部側にある当接部の近傍に設けられて前記コイルスプリングを前記コイルスプリングの前記一端部側にある当接部との間で圧縮する圧縮面とを有することを特徴とする請求項１に記載の摺動機構。
【請求項３】
撮像に関する操作部を備える撮像装置において、
請求項１又は２に記載の摺動機構を備え、該摺動機構の前記摺動部を前記操作部としてあることを特徴とする撮像装置。
【発明の詳細な説明】
【技術分野】
【０００１】
本発明は、基材に形成された案内孔の開口部に沿って摺動する摺動部をコイルスプリングにより付勢する摺動機構、及びこの摺動機構を備える撮像装置に関する。
【背景技術】
【０００２】
ビデオカメラ（デジタルビデオカメラを含む）又はカメラ（デジタルカメラを含む）等の撮像装置は、遠くの被写体を大きく撮像できるズーム機能を備えるものがあり、該ズーム機能の操作部に摺動機構を適用した撮像装置が従来からある（例えば、特許文献１参照。）。
【０００３】
図５は従来の撮像装置の操作部に適用された摺動機構の構成を説明する説明図である。
【０００４】
図において４３は操作部材であり、操作部材４３は、撮像装置の筐体を構成する板状の基材５４の一面（外側面）側に配されており、角柱状をなす連結部４４が凸設されている。連結部４４は、基材５４に形成された案内孔５６の略矩形をなす開口部５７の略中央を挿通しており、操作部材４３は、案内孔５６に案内されて開口部５７の長手方向に沿って一側又は他側へ摺動することが可能とされている。
【０００５】
基材５４の他面（内側面）側には、コイルスプリング６が案内孔５６の近傍で開口部５７の長手方向と略平行に配されており、コイルスプリング６の両方の端部６０,６０には、夫々当接部５３,５３が当接している（図５には一方の端部６０及び当接部５３を図示）。当接部５３，５３は、開口部５７の長手方向と略平行な直線上に位置するように、所定の間隔を有して基材５４の他面に設けられた２つの突条であり、コイルスプリング６の端部６０,６０の基材５４側である一部６１,６１に当接している。
【０００６】
コイルスプリング６は、矩形の板状をなすガイド７４に一体形成された箱部７５内に導入され、コイルスプリング６の端部６０,６０夫々に対向する箱部７５の壁面は、コイルスプリング６の一端部６０側にある当接部５３の近傍に設けられてコイルスプリング６をコイルスプリング６の他端部６０側にある当接部５３との間で圧縮する圧縮面７６,７６と、コイルスプリング６の他端部６０側にある当接部５３の近傍に設けられてコイルスプリング６をコイルスプリング６の一端部６０側にある当接部５３との間で圧縮する圧縮面７６,７６とで構成されている。ガイド７４には、操作部材４３の連結部４４に対応した嵌合孔７７が設けられ、嵌合孔７７には、連結部４４が嵌め合わされて溶着されている。該溶着により操作部材４３及びガイド７４が、開口部５７の長手方向に沿って摺動する摺動部となり、該摺動部が前述した操作部３０である。なお、操作部３０（操作部材４３及びガイド７４）、基材５４及びコイルスプリング６が、操作部３０に適用された摺動機構を構成する必須の構成部品である。
【０００７】
このような構成により、ズーム機能を操作するために、操作部３０の操作部材４３を、連結部４４が開口部５７の略中央に位置する組付位置から開口部５７の長手方向の一側（又は他側）へ摺動させれば、ガイド７４が連動し、コイルスプリング６の一端部６０側にある当接部５３（又は他端部６０側にある当接部５３）と、コイルスプリング６の他端部６０側に設けられた圧縮面７６,７６（又は一端部６０側に設けられた圧縮面７６,７６）との間でコイルスプリング６が圧縮される。操作部材４３を摺動させるために加えた力を除けば、コイルスプリング６の付勢力が圧縮面７６,７６を介して操作部材４３に作用し、操作部材４３が組付位置まで後退する。
【特許文献１】特開平１０−２００８４４号公報
【発明の開示】
【発明が解決しようとする課題】
【０００８】
しかしながら、操作部３０に適用された摺動機構は、操作部材４３の連結部４４とガイド７４との溶着部分にばらつきが生じるために、箱部７５とコイルスプリング６との隙間が大きくなる場合がある。また、当接部５３,５３は、コイルスプリング６の端部６０,６０の基材５４側である一部６１,６１にのみ当接しており、基材５４側の反対側である他部６２,６２には当接していない。このため、箱部７５とコイルスプリング６との隙間が大きくなった場合には、コイルスプリング６の両方の端部６０,６０が当接部５３,５３に確実に当接せず、コイルスプリング６が箱部７５の内部で傾斜する、又は波打つように座屈するという場合がある。このように、コイルスプリング６が傾斜又は座屈した場合に操作部３０の操作部材４３を摺動させれば、コイルスプリング６の付勢力の方向と操作部材４３の後退方向とが一致しないために、組付位置に後退する操作部材４３が滑らかに動作しないという問題があった。
【０００９】
本発明は斯かる事情に鑑みてなされたものであり、コイルスプリングの端部と当接部とを確実に当接する構成とすることにより、コイルスプリングが傾斜又は座屈せず、コイルスプリングの付勢力の方向を摺動部の動作方向と略同一にして摺動部が滑らかに動作する摺動機構を提供することを目的とする。
【００１０】
また本発明は、コイルスプリングを一側又は他側から圧縮できる構成とすることにより、摺動部を一側又は他側へ摺動させた場合に、コイルスプリングの付勢力にて摺動部が組付位置まで後退する摺動機構を提供することを目的とする。
【００１１】
さらに本発明は、摺動部が滑らかに動作する摺動機構を操作部に適用することにより、操作部の操作感が良好な撮像装置を提供することを目的とする。
【課題を解決するための手段】
【００１２】
本発明に係る摺動機構は、基材に形成され、略矩形をなす開口部を有する案内孔に案内されて前記開口部の長手方向に沿って摺動する摺動部と、前記開口部の長手方向と略平行に配されたコイルスプリングの端部に当接された当接部とを備え、前記摺動部の摺動により前記コイルスプリングを前記当接部と前記摺動部との間で圧縮するようになしてある摺動機構において、前記当接部を前記コイルスプリングの端部の径方向での両側に当接してあることを特徴とする。
【００１３】
本発明においては、開口部の長手方向へ摺動部を摺動させれば、当接部と摺動部との間でコイルスプリングが圧縮される。摺動部を摺動させるために加えた力を除けば、コイルスプリングの付勢力が摺動部に作用し、摺動部が組付位置まで後退する。当接部は、コイルスプリングの端部の径方向での両側に当接してあるから、当接部とコイルスプリングの端部とが確実に当接してコイルスプリングの姿勢が安定し、摺動部に作用するコイルスプリングの付勢力の方向が、摺動部を組付位置に後退させる方向と略同一に保たれる。
【００１４】
本発明に係る摺動機構においては、前記コイルスプリングの両端部夫々に前記当接部を当接してあり、前記摺動部は、前記コイルスプリングの一端部側にある前記当接部の近傍に設けられて前記コイルスプリングを前記コイルスプリングの他端部側にある前記当接部との間で圧縮する圧縮面と、前記コイルスプリングの前記他端部側にある当接部の近傍に設けられて前記コイルスプリングを前記コイルスプリングの前記一端部側にある当接部との間で圧縮する圧縮面とを有することを特徴とする。
【００１５】
本発明においては、コイルスプリングの両端部夫々に当接部を当接し、摺動部は、当接部の近傍に設けられた圧縮面を有するから、開口部の長手方向の一側へ摺動部を摺動した場合、又は開口部の長手方向の他側へ摺動部を摺動した場合の双方ともコイルスプリングを圧縮して摺動部に付勢力を作用させることができる。
【００１６】
本発明に係る撮像装置は、撮像に関する操作部を備える撮像装置において、前記発明の摺動機構を備え、該摺動機構の前記摺動部を前記操作部としてあることを特徴とする。
【００１７】
本発明においては、前記発明の摺動機構を備え、該摺動機構の摺動部を操作部としたから、操作部に作用するコイルスプリングの付勢力の方向が操作部の操作方向と略同一になり、操作部の動作が滑らかになる。
【発明の効果】
【００１８】
本発明に係る摺動機構においては、コイルスプリングの姿勢が安定し、摺動部に作用するコイルスプリングの付勢力の方向が、摺動部を組付位置に後退させる方向と略同一に保たれるから、摺動部を摺動させるために加えた力を除けば、摺動部が滑らかに組付位置まで後退する。
【００１９】
また、本発明に係る摺動機構においては、開口部の長手方向の一側又は他側へ摺動部を摺動させれば、双方ともコイルスプリングの付勢力により摺動部が組付位置まで後退するから、摺動部の摺動方向を２方向とすることができる。
【００２０】
さらに、本発明に係る撮像装置においては、前記発明の摺動機構を備え、該摺動機構の摺動部を操作部としたから、操作部が滑らかに動作して操作感が良好となる。
【発明を実施するための最良の形態】
【００２１】
以下、本発明をその実施の形態を示す図面に基づいて詳述する。図１は、本発明に係る撮像装置であるビデオカメラの斜視図である。
【００２２】
図において１はビデオカメラ（撮像装置）であり、ビデオカメラ１は、矩形をなして適宜の厚みとされ、撮像用のレンズ群２２を有する撮像部２を備えている。撮像部２の一面側には、撮像部２に対して開閉可能に構成された液晶モニタ２０が設けられ、撮像部２の他面側には、撮像部２に対応した形状及び大きさを有し、撮像部２の厚みより薄く構成された把持部２１が並設されている。把持部２１は、撮像部２の他面の中央部を回転中心として所定の角度内で回転することが可能に構成されており、該構成により、低く構えた撮像から高く構えた撮像まで把持部２１を持ち替えずに行えるようにしてある。また、把持部２１には、ズーム機能を操作する操作部３が設けられており、操作部３には、本発明に係る摺動機構が適用されている。
【００２３】
図２は本発明に係る摺動機構の構成部品を把持部２１の筐体の内部側から見た分解斜視図である。また、図３（ａ）はコイルスプリングと当接部との組付状態を示す説明図、図３（ｂ）はコイルスプリングの端部、当接部及びガイドの位置関係を示す説明図である。
【００２４】
図２において４は操作部材であり、操作部材４は、合成樹脂により形成され、小判状をなす基部４０を備えている。基部４０の一面には、滑り止めの凹凸が形成された指当接部４１が設けられ、基部４０の他面には、角柱状をなす２つの連結部４２,４２が凸設されている。連結部４２,４２は、把持部２１の筐体を構成する板状の基材５に形成された２つの案内孔５１,５１を夫々挿通している。案内孔５１,５１は、略矩形をなす開口部５５,５５を有し、連結部４２,４２の間隔に対応した間隔で相互に略平行となるように形成されており、連結部４２,４２の案内孔５１,５１の挿通は、開口部５５,５５の略中央となっている。基部４０の他面は、基材５の一面（外側面）に当接しており、操作部材４は、開口部５５,５５の長手方向に沿って一側又は他側へ摺動することが可能とされている。
【００２５】
基材５の他面（内側面）側には、コイルスプリング６が案内孔５１,５１の間で開口部５５,５５の長手方向と略平行に配されており、コイルスプリング６の両方の端部６０,６０には、夫々当接部５０,５０が当接している。当接部５０，５０は、開口部５５,５５の長手方向と略平行な直線上に位置するように、所定の間隔を有して基材５の他面に設けられた２つの突条であり、図３（ｂ）に示したように、コイルスプリング６の端部６０,６０の基材５側となる一部６１,６１と、端部６０,６０の基材５側の反対側となる他部６２,６２との双方、換言すれば、コイルスプリング６の端部６０,６０の径方向での両側に当接するように、基材５の他面からの突出高さＹをコイルスプリング６の外径と略同一にしてある。また、当接部５０，５０の幅は、コイルスプリング６の外径より小さくしてある。
【００２６】
コイルスプリング６は、矩形の板状をなすガイド７に一体形成された箱部７０内に導入され、コイルスプリング６の端部６０,６０夫々に対向する箱部７０の壁面は、コイルスプリング６の一端部６０側にある当接部５０の近傍に設けられてコイルスプリング６をコイルスプリング６の他端部６０側にある当接部５０との間で圧縮する圧縮面７２,７２と、コイルスプリング６の他端部６０側にある当接部５０の近傍に設けられてコイルスプリング６をコイルスプリング６の一端部６０側にある当接部５０との間で圧縮する圧縮面７２,７２とで構成されている。ガイド７には、コイルスプリング６の伸縮方向に略直交する方向へ突出する係止突起７３が設けられ、係止突起７３は、ズーム倍率を変更する変更手段、例えば、レンズ群２２の一部のレンズを移動させるモータ８１に繋がる操作スイッチ８の操作レバー８０に係止している。また、ガイド７には、操作部材４の連結部４２,４２に対応した２つの嵌合孔７１,７１も設けられ、嵌合孔７１,７１には、操作部材４の連結部４２,４２が嵌め合わされて溶着されている。該溶着により、操作部材４及びガイド７が開口部５５,５５の長手方向に沿って摺動する摺動部となり、該摺動部が操作部３である。なお、本発明に係る摺動機構を構成する必須の構成部品は、操作部３（操作部材４及びガイド７）、基材５及びコイルスプリング６である。
【００２７】
以上の構成により、ズーム機能を操作するために、操作部材４を、連結部４２,４２が開口部５５,５５の略中央に位置する組付位置から開口部５５,５５の長手方向の一側へ摺動させれば、ガイド７が同方向へ連動する。ガイド７が連動することにより、コイルスプリング６の一端部６０側にある当接部５０と、コイルスプリング６の他端部６０側に設けられた圧縮面７２,７２との間でコイルスプリング６が圧縮される。操作部材４を組付位置から開口部５５,５５の長手方向の他側へ摺動させた場合も、ガイド７が同方向へ連動し、コイルスプリング６の他端部６０側にある当接部５０と、コイルスプリング６の一端部６０側に設けられた圧縮面７２,７２との間でコイルスプリング６が圧縮される。このとき、ガイド７は、操作スイッチ８の操作レバー８０を操作しており、該操作によりモータ８１が駆動されてズーム倍率が変更される。
【００２８】
操作部材４を開口部５５,５５の長手方向の一側又は他側へ摺動させるために加えた力を除けば、コイルスプリング６の付勢力が圧縮面７２,７２に作用してガイド７及び操作部材４を組付位置まで後退させる。このとき、ガイド７の後退に応じて操作スイッチ８の操作レバー８０が中立位置に戻され、モータ８１が停止し、ズーム倍率の変更が停止する。
【００２９】
本発明に係る摺動機構は、コイルスプリング６の端部６０,６０の基材５側となる一部６１,６１と、端部６０,６０の基材５側の反対側となる他部６２,６２との双方、換言すれば、コイルスプリング６の端部６０,６０の径方向での両側に当接部５０，５０を当接してあるから、操作部材４の連結部４２,４２とガイド７との溶着のばらつきにより、ガイド７の箱部７０とコイルスプリング６との隙間が拡大しても、当接部５０，５０とコイルスプリング６の端部６０,６０とが確実に当接する。該当接によりコイルスプリング６の姿勢が安定し、コイルスプリング６が傾斜、又は波打つように座屈しないから、操作部材４を開口部５５,５５の長手方向の一側又は他側へ摺動してコイルスプリング６を圧縮した場合におけるコイルスプリング６の付勢力の方向を、操作部材４を組付位置に後退させる方向と略同一に保つことができる。よって、組付位置に後退する方向へ付勢力を受けたガイド７及び操作部材４は、滑らかに組付位置まで後退する。
【００３０】
また、本発明に係る撮像装置であるビデオカメラ１は、本発明に係る摺動機構を備え、該摺動機構の摺動部を、ズーム機能の操作部３としてあるから、操作部３が滑らかに動作して操作感が良好になる。
【００３１】
以上、本発明に係る摺動機構又は撮像装置を説明したが、本発明に係る摺動機構又は撮像装置は、前述の構成に限定されず、種々の変形例の適用が可能である。
【００３２】
例えば、図４に示したように、当接部５０を１つとして該当接部５０をコイルスプリング６の一端部６０に当接すると共に、ガイド７８の箱部７９の圧縮面７ａをコイルスプリング６の他端部６０に当接し、圧縮面７ａのコイルスプリング６側の反対側に設けたストッパ５２により、ガイド７８と操作部材４とが、開口部５５,５５の長手方向の一側にのみ摺動するように構成してもよい。
【００３３】
また、操作部材４を合成樹脂製とし、操作部材４の連結部４２,４２をガイド７の嵌合孔７１,７１に嵌め合わせて溶着したが、操作部材４は合成樹脂製に限らず、例えば金属製とし、操作部材４の連結部４２,４２をガイド７の嵌合孔７１,７１に嵌め合わせてカシメることにより操作部材４とガイド７とを固着してもよい。
【００３４】
さらに、当接部５０，５０の基材５の他面からの突出高さＹをコイルスプリング６の外径と略同一としたが、当接部５０，５０の基材５の他面からの突出高さＹは、コイルスプリング６の外径と略同一に限らず、コイルスプリング６の端部６０,６０の径方向での両側に当接部５０，５０が当接する寸法であればよい。
【００３５】
さらにまた、本発明に係る摺動機構又は撮像装置は、本発明の趣旨に逸脱しない範囲にて一部の構成を削除又は変更することも可能である。
【００３６】
また、以上で説明した実施の形態では、ズーム機能を操作する操作部３に本発明に係る摺動機構を適用したが、本発明に係る摺動機構は、ズーム機能を操作する操作部３に限定されず、基材に形成された案内孔の開口部に沿って摺動することが可能な摺動部をコイルスプリングにより付勢する摺動機構に適用することが可能である。
【００３７】
さらに、以上で説明した実施の形態では、本発明に係る撮像装置をビデオカメラ１として説明したが、本発明に係る撮像装置は、ビデオカメラ１に限定されず、銀塩カメラ又はデジタルカメラ等を含む撮像装置に適用することが可能である。
【図面の簡単な説明】
【００３８】
【図１】本発明に係る撮像装置であるビデオカメラの斜視図である。
【図２】本発明に係る摺動機構の構成部品を示す分解斜視図である。
【図３】コイルスプリング、当接部及びガイドの位置関係を示す説明図である。
【図４】当接部及びガイドが異なる変形例の構成を説明する説明図である。
【図５】従来の撮像装置の操作部に適用された摺動機構の構成を説明する説明図である。
【符号の説明】
【００３９】
１  ビデオカメラ（撮像装置）
３  操作部（摺動部）
４  操作部材
５  基材
６  コイルスプリング
７  ガイド
５１  案内孔
５０  当接部
５５  開口部
６０  端部
６１  一部
６２  他部
７２  圧縮面
【図１】
2005091938.tif 000003
【図２】
2005091938.tif 000004
【図３】
2005091938.tif 000005
【図４】
2005091938.tif 000006
【図５】
2005091938.tif 000007